(57)【要約】【課題】  ケースの積上げによる胴部の膨らみが生じ難く、かつ１回の開封動作で手指の切傷の恐れもなく素早く開封できる易開封性紙ケースを提供する。【解決手段】  一対の側板の両端に内フラップを設け天板と底板のそれぞれの両端に外フラップを設けた紙ケースにおいて、前記各側板及びフラップの横方向に１本づつの切込線を設け、前記天板の略中央横方向に１本の切込線を設けると共に、その切込線上に周囲に切込線を施した破断容易な指差込部を少なくとも１箇所設け、前記底板の外フラップの折曲幅は前記天板の外フラップの折曲幅より小幅又は同幅に形成し、前記一対の側板の内フラップの折曲幅は前記天板の外フラップの折曲幅より大幅でかつ天板の縦方向の折曲線の長さの１／２より小に形成してなり、前記指差込部に手指を差込み上方へ引張って紙ケースの上半部を除去できるようにしたことを特徴とする易開封性紙ケースとする。【選択図】  図２
2006111342.tif 000002
【特許請求の範囲】
【請求項１】
一対の側板の両端に内フラップを設け天板と底板のそれぞれの両端に外フラップを設けた紙ケースにおいて、前記各側板及びフラップの横方向に１本づつの切込線を設け、前記天板の略中央横方向に１本の切込線を設けると共に、その切込線上に周囲に切込線を施した破断容易な指差込部を少なくとも１箇所設け、前記底板の外フラップの折曲幅は前記天板の外フラップの折曲幅より小幅又は同幅に形成し、前記一対の側板の内フラップの折曲幅は前記天板の外フラップの折曲幅より大幅でかつ天板の縦方向の折曲線の長さの１／２より小に形成してなり、前記指差込部に手指を差込み上方へ引張って紙ケースの上半部を除去できるようにしたことを特徴とする易開封性紙ケース。
【発明の詳細な説明】
【技術分野】
【０００１】  本発明は易開封性紙ケースに関し、詳しくは販売用の物品（商品）を収納して封緘したダンボールや厚紙で製された紙ケースの上半部を容易に開封除去できるようにした易開封性紙ケースに関する。
【背景技術】
【０００２】  従来、封緘された紙ケース内の商品（缶詰、瓶詰、その他の包装食品等）を紙ケース内から取り出し易くするために、種々の紙ケースの構造が提案されている。例えば、段ボール箱の胴体の周りにカット用のテープを貼着してテープで紙をカットし、ケース上半分を除去するものがある。（特許文献１  特開平０６−２９３３３２）このようなカット用のテープによる破断には、大きな力が必要であり、紙ケースの製造コストも高くなるという欠点がある。【０００３】  また、特許文献２（特開平７−３２９９５５号公報）には表ライナに２本の切目を入れて形成される開封帯を引っ張って、表ライナを破断できるものが開示されている。この技法は破断にはさほどの力を必要としないがコルゲータ上での加工を要するためケースの製造コストが高くつくという問題がある。【０００４】  さらに、特許文献３（特開２０００−２３８７５５号公報）には、全体の段ボールシートの打ち抜き加工時に、２本の部分的な切込みジッパー線を入れることにより帯状に開封域を形成し、この開封帯を引張ることでケースの表ライナを破断できるようにしたものが開示されている。この構造のケースは破断にはさほどの力を必要としないものであるが、ケースの積上げにより胴ぶくれが生じやすい部位に２本の切込みジッパー線が入っているため、胴ぶくれが顕著になり、外観上商品価値が下がるという欠点がある。また、ふくれた部分のジッパー線を引っ張って切ることが作業上困難になる恐れがあった。【０００５】  上記従来の技術による紙ケースは、いずれもこれを開封するに際しては、ケースの胴周に添って破断してから、上部を除去し中味を取り出すという複数の動作を要するものであり、また開封時には紙の端面で指を切傷するという危険性を有するものであった。【０００６】
【特許文献１】特開平０６−２９３３３２号公報
【特許文献２】特開平７−３２９９５５号公報
【特許文献３】特開２０００−２３８７５５号公報
【発明の開示】
【発明が解決しようとする課題】
【０００７】  本発明は、上記種々の問題点に鑑みなされたもので、コスト高及び手指切傷等の要因となるカット用テープを廃止し、ケースの積上げ時には膨らみを生じることなく、１回の開封動作で、指の切傷の恐れもなく素早く開封できる易開封性紙ケースを提供することを課題とする。
【課題を解決するための手段】
【０００８】  すなわち、上記課題を解決するための手段として、本発明の易開封性紙ケースは、一対の側板の両端に内フラップを設け天板と底板のそれぞれの両端に外フラップを設けた紙ケースにおいて、前記各側板及びフラップの横方向に１本づつの切込線を設け、前記天板の略中央横方向に１本の切込線を設けると共に、その切込線上に周囲に切込線を施した破断容易な指差込部を少なくとも１箇所設け、前記底板の外フラップの折曲幅は前記天板の外フラップの折曲幅より小幅又は同幅に形成し、前記一対の側板の内フラップの折曲幅は前記天板の外フラップの折曲幅より大幅でかつ天板の縦方向の折曲線の長さの１／２より小に形成してなり、前記指差込部に手指を差込み上方へ引張って紙ケースの上半部を除去できるようにしたことを特徴とする。【０００９】  このような構成としたことにより、紙ケースの開封時には、指先を天板の指差込部に容易に差し込むことができると共に、指先を天板の裏側に引掛けて上方に引張ることにより、ケースの上半部はその側板及びフラップの横方向に設けられた切込線に添って切裂かれ下半部と分割できる。その際、底板の両端に設けられた外フラップの折曲幅に糊づけされる側板の両端の内フラップの折曲幅は、天板の縦方向の折曲線の長さの１／２より小値に形成してあるので、側板の内フラップは天板と底板の外フラップの全面に糊付けされることはない。すなわち、天板のフラップ部の切込線を設けてある内側近傍には糊付け無し（内フラップ無し）の部分が生じるために、切裂き分割は実質的に、天板とその外フラップ及び側板とその内フラップのそれぞれの切込線に添って切断されることで達成できる。従って、紙ケースの上半部を少い力で容易に開封することができる。
【発明の効果】
【００１０】  本発明の易開封性紙ケースは上記の構成としてあるので、指先に天板の裏側を引っ掛けて引張るという１回の動作で開封できる作業能率がよいものとなる。また、従来のようにカット用テープを使用したり、２本の切込みジッパ線をケース胴部へ帯状に入れたりする構造ではないので、手指の切傷事故や、ケースの積上げによる胴ぶくれが発生することもなくなり、見栄えのする商品価値の高いものとして製することができる。
【発明を実施するための最良の形態】
【００１１】  以下、図面を参照して本発明の実施の形態について説明する。
【実施例】
【００１２】  図１は本発明易開封性紙ケースの一実施の形態を示す斜視図である。図２は図１の紙ケースの上半部の片側を開封した状態を示す斜視説明図であり、図３は図１の展開図である。図１及び図２に示すように、本発明実施例の易開封性紙ケース１は、一対の側板４Ａ，４Ｂ、天板２，底板３，側板の両端の内フラップ４Ａ′，４Ａ′，４Ｂ′，４Ｂ′，天板の両端の外フラップ２Ｂ，２Ｂ、底板の両側の外フラップ３Ｂ，３Ｂ，糊付片６からなる段ボールケースである。【００１３】  各側板４Ａ，４Ｂ及びその両端の内フラップ４Ａ′，４Ａ′，４Ｂ′，４Ｂ′にはその横方向に１本づつの切込線５Ｂ，５Ｂを設けてある。また、天板２の略中央横方向に１本の切込線５Ａを設けると共にその切込線５Ａ上に２ヵ所の指差込部８をその周囲に切込線５Ｃを施して設けてある。【００１４】  また、前記底板３の外フラップ３Ｂ，３Ｂは図３の展開図に示すように、その折曲幅β，β，を天板２の折り曲げ幅γ，γより小幅に形成してあり、前記一対の側板４Ａ，４Ｂの内フラップ４Ａ′，４Ａ′，４Ｂ′，４Ｂ′のそれぞれの折曲幅α，α，α，αは前記天板２の外フラップ２Ｂ，２Ｂより大幅に形成してあるが、その最大幅は天板２の外フラップ２Ｂ，２Ｂの縦方向の折曲線７Ｂ，７Ｂの長さの１／２を超えない長さ（幅）にしてある。【００１５】  このような構造とした事により、ケース１として組立てた場合に側板４Ａ，４Ｂの両端の内フラップ４Ａ′，４Ａ′，４Ｂ′，４Ｂ′は、天板２の外フラップ２Ｂ，２Ｂと底板３の外フラップ３Ｂ，３Ｂは、全面が重なって接着される部分は無くなり、天板２の外フラップ２Ｂに設けた切込線５Ａの両側は余白部分として残して接着される。このことは、図２に示すようにケース１を開封する時に、天板２とその外フラップ２Ｂ、２Ｂに設けた切込線５Ａと側板４Ａ，４Ｂとその内フラップ４Ａ′，４Ａ′，４Ｂ′，４Ｂ′に設けた切込線５Ｂ，５Ｂを順次切裂くことで容易に達成できるものとなる。すなわち、その切裂き経路は指先を指差込部８に挿入し、天板２を上方に引っ張ることで、天板２，その外フラップ２Ｂ，２Ｂ，側板４Ａ，４Ｂの内フラップ４Ａ′，４Ａ′，４Ｂ′，４Ｂ′の順にその切込線５Ａ，５Ｂに沿って進行するものとなる。なお、本実施例においては、紙ケース１の指差込部８を２ヵ所設けたものを示したが、必ずしもこれに限定されるものではない。また、開封作業も図２において天板２の片半分を開封する場合を示したが、１回の動作で紙ケース１の上半部を同様に全開封でき得るものであることは言うまでもないことである。【００１６】  また、本実施例の紙ケース１は縦：２４０ｍｍ，横：２６０ｍｍ，高さ：８５ｍｍ程の直方体としてあり、図３中の各フラップの折曲幅α，β，γはαを１００ｍｍ，βを３３ｍｍ，γを５５ｍｍとしてある。
【図面の簡単な説明】
【００１７】
【図１】  本発明による易開封性紙ケースの一実施形態を示す斜視図。
【図２】  図１の易開封性紙ケースの上半部を片開きした状態を示す斜視説明図。
【図３】  図１の易開封性紙ケースの展開図。
【符号の説明】
【００１８】１  易開封性紙ケース
２  天板
２Ｂ  天板の外フラップ
３  底板
３Ｂ  底板の外フラップ
４Ａ，４Ｂ  側板
４Ａ′，４Ｂ′  側板の内フラップ
５Ａ，５Ｂ  切込線
５Ｃ  指差込部周囲切込線
６  糊付片
７  折曲線
７Ａ  横方向折曲線
７Ｂ  縦方向折曲線
８  指差込部
Ｋ  物品
【図１】
2006111342.tif 000003
【図２】
2006111342.tif 000004
【図３】
2006111342.tif 000005